(57)【要約】【課題】良好な映像を表示することが可能なテレビ放送受信装置を提供する。【解決手段】このテレビ放送受信装置は、アンテナ１で受信された高周波信号ＲＦを中間周波信号に変換するミキサ２１と、ミキサ２１で生成された中間周波信号のうちの選択されたチャンネルの中間周波信号を通過させるＳＡＷフィルタ２２と、ＳＡＷフィルタ２２を通過した中間周波信号ＩＦにおける映像キャリアと音声キャリアのレベルの比が所定値よりも大きくなるようにＳＡＷフィルタ２２の通過帯域を制御するＣＰＵ５とを備える。したがって、映像Ｓ／Ｎを改善して良好な映像を表示できる。【選択図】図３
2013192167.tif 000002
【特許請求の範囲】
【請求項１】
アンテナで受信された高周波信号を中間周波信号に変換するミキサと、
前記ミキサで生成された中間周波信号のうちの選択されたチャンネルの中間周波信号を通過させる通過帯域の調整が可能なフィルタと、
前記フィルタを通過した中間周波信号における映像キャリアと音声キャリアのレベルの比が予め定められた値よりも大きくなるように前記フィルタの通過帯域を制御する制御部とを備える、テレビ放送受信装置。
【請求項２】
さらに、前記フィルタを通過した中間周波信号をデジタル信号列に変換するＡＤコンバータと、
前記デジタル信号列を映像信号と音声信号に復調する復調器とを備え、
前記制御部は、前記デジタル信号列に基づいて前記映像キャリアと音声キャリアのレベルの比を求め、求めた比が前記予め定められた値よりも大きくなるように前記フィルタの通過帯域を調整する、請求項１に記載のテレビ放送受信装置。
【請求項３】
さらに、前記復調器で生成された前記映像信号から垂直同期信号を検出する検出部と、
前記検出部で検出された前記垂直同期信号に応答して前記デジタル信号列を記憶する記憶部とを備え、
前記制御部は、前記記憶部に記憶された前記デジタル信号列に高速フーリエ変換を施して周波数毎の強度情報を求め、その強度情報に基づいて前記映像キャリアと音声キャリアのレベルの比を求める、請求項２に記載のテレビ放送受信装置。
【請求項４】
前記制御部は、受信可能な複数のチャンネルの各々について前記映像キャリアと音声キャリアのレベルの比を求め、
さらに、前記制御部によって求められた複数の前記映像キャリアと音声キャリアのレベルの比を記憶する記憶部を備え、
前記制御部は、前記複数のチャンネルのうちの選択されたチャンネルに対応する前記映像キャリアと音声キャリアのレベルの比を前記記憶部から読み出し、読み出した比に基づいて前記フィルタの通過帯域を調整する、請求項２に記載のテレビ放送受信装置。
【請求項５】
さらに、受信可能な複数のチャンネルの各々について前記映像キャリアと音声キャリアのレベルの比を記憶した記憶部を備え、
前記制御部は、前記複数のチャンネルのうちの選択されたチャンネルに対応する前記映像キャリアと音声キャリアのレベルの比を前記記憶部から読み出し、読み出した比に基づいて前記フィルタの通過帯域を調整する、請求項１に記載のテレビ放送受信装置。
【請求項６】
前記制御部は、前記映像キャリアと音声キャリアのレベルの比が前記予め定められた値よりも小さい場合は、前記音声キャリアのレベルが低下するように前記フィルタの通過帯域を調整する、請求項１に記載のテレビ放送受信装置。
【請求項７】
前記フィルタは表面弾性波フィルタである、請求項１に記載のテレビ放送受信装置。
【発明の詳細な説明】
【技術分野】
【０００１】
本発明はテレビ放送受信装置に関し、たとえば、通過帯域が可変のＳＡＷ（Surface Acoustic Wave：表面弾性波）フィルタを含むチューナを備え、アナログ放送とデジタル放送の両方を受信するテレビ放送受信装置に好適に利用できるものである。
【背景技術】
【０００２】
テレビ放送局から送信される高周波信号には、映像信号を搬送する映像キャリアと、音声信号を搬送する音声キャリアが含まれている。たとえば特許文献１には、受信した高周波信号を中間周波信号に変換し、その中間周波信号において音声キャリアのレベルが所定レベルになるように音声キャリアのレベルを調節するテレビ放送受信装置が開示されている。
【先行技術文献】
【特許文献】
【０００３】
【特許文献１】特開平９−２０００６５号公報
【発明の概要】
【発明が解決しようとする課題】
【０００４】
一般にテレビ放送局から送信される高周波信号においては、映像キャリアと音声キャリアのレベルの比であるＰ／Ｓ比（＝−２０log１０（Ｐ／Ｓ））は−１０ｄＢ程度に設定されている。これは、音声キャリアによって映像キャリアが妨害されるのを抑制するためである。しかし、実際には、音声キャリアと映像キャリアのレベルを同程度に設定しているテレビ放送局もある。そのようなテレビ放送局があることを想定して、従来のテレビ放送受信装置では、中間周波信号のレベルを所定レベル以下に抑圧している。このため映像キャリアのレベルが抑圧され、映像のＳ／Ｎが悪化するという問題がある。
【０００５】
その他の課題と新規な特徴は、本明細書の記述および添付図面から明らかになるであろう。
【課題を解決するための手段】
【０００６】
一実施の形態によれば、本願のテレビ放送受信装置は、フィルタを通過した中間周波信号における映像キャリアと音声キャリアのレベルの比が所定値よりも大きくなるようにフィルタの通過帯域を制御する。
【発明の効果】
【０００７】
前記一実施の形態によれば、映像キャリアと音声キャリアのレベルの比を所定値よりも大きくすることができるので、映像Ｓ／Ｎを改善して良好な映像を表示することができる。
【図面の簡単な説明】
【０００８】
【図１】本願の一実施の形態によるテレビ放送受信装置の構成を示すブロック図である。
【図２】図１に示したチューナの構成を示すブロック図である。
【図３】図１に示したテレビ放送受信装置のうちのＰ／Ｓ比の演算および制御に関連する部分を示すブロック図である。
【図４】選択されたチャンネルのＰ／Ｓ比が高過ぎる場合におけるＳＡＷフィルタの動作を示す図である。
【図５】選択されたチャンネルのＰ／Ｓ比が十分に低い場合におけるＳＡＷフィルタの動作を示す図である。
【図６】ビデオＩＦ復調器で復調された映像信号ＣＶＢＳの要部を示すタイムチャートである。
【図７】中間周波信号ＩＦと映像信号ＣＶＢＳの関係を示すタイムチャートである。
【図８】オートスキャン時におけるテレビ放送受信装置の動作を示すフローチャートである。
【図９】Ｐ／Ｓ比の演算方法を示すフローチャートである。
【図１０】通常の視聴時における選局動作を示すフローチャートである。
【図１１】Ｐ／Ｓ比とＳＡＷフィルタの通過帯域の型との関係を示す図である。
【図１２】本願の他の実施の形態によるテレビ放送受信装置の要部を示すブロック図である。
【発明を実施するための形態】
【０００９】
本願の一実施の形態によるテレビ放送受信装置は、図１に示すように、アンテナ１、チューナ２、不揮発性メモリ３、半導体装置４、画像表示パネル１５、およびスピーカ１６を備える。現在ではアナログ放送とデジタル放送の両方が行なわれている地域があるので、このテレビ放送受信装置では、アナログ放送とデジタル放送の両方の受信が可能となっている。まず、このテレビ放送を受信するための基本的な構成および動作について説明する。
【００１０】
テレビ放送局（図示せず）からの送信された高周波信号ＲＦはアンテナ１によって受信される。チューナ２は、図２に示すように、ミキサ２１、ＳＡＷフィルタ２２、増幅器２３、コントローラ２４、およびレジスタ２５を含む。レジスタ２５には、半導体装置４からのチューナ制御コマンドＣＭＤが保持される。コントローラ２４は、レジスタ２５に保持されたチューナ制御コマンドＣＭＤに従って、ミキサ２１およびＳＡＷフィルタ２２を制御する。
【００１１】
ミキサ２１は、アンテナ１で受信された高周波信号を中間周波信号に変換する。ＳＡＷフィルタ２２は、通過帯域の変更が可能なフィルタであり、ミキサ２１で生成された中間周波信号のうち視聴者によって選択されたチャンネルの中間周波信号を通過させる。増幅器２３は、半導体装置４からの自動ゲイン制御信号ＡＧＣに従ってＳＡＷフィルタ２２を通過した中間周波信号ＩＦを増幅する。これにより、所定レベルの中間周波信号ＩＦが半導体装置４に与えられる。
【００１２】
半導体装置４は、ＳｏＣ（System on a chip）であり、ＣＰＵ（Central Processing Unit：中央処理装置）５、ＡＤ（Analog Digital）コンバータ６、デジタルＲＦ（Radio Frequency：高周波）復調器７、ビデオ復調器８、およびビデオＩＦ（Intermediate Frequency：中間周波）復調器９を含む。また、この半導体装置４は、画像処理エンジン１０、オーディオ復調器１１、サウンドＩＦ復調器１２、オーディオＤＳＰ(Digital Signal Processor：デジタル信号処理器)１３、およびオーディオＤＡ（Digital Analog）コンバータ１４を含む。不揮発性メモリ３には、プログラム、チャンネル情報などが格納されている。
【００１３】
ＣＰＵ５は、不揮発性メモリ３に格納されたプログラムを実行し、半導体装置４全体を制御する。また、ＣＰＵ５は、オートスキャン時に獲得したチャンネル情報などを不揮発性メモリ３に書込む。また、ＣＰＵ５は、不揮発性メモリ３から読み出したチャンネル情報などに従って、テレビ放送受信装置全体を制御する。
【００１４】
ＡＤコンバータ６は、チューナ２からの中間周波信号ＩＦをデジタル信号列に変換する。デジタルＲＦ復調器７は、ＡＤコンバータ６からのデジタル信号列を映像圧縮データおよび音声圧縮データに変換する。また、デジタルＲＦ復調器７は、チューナ２から出力される中間周波信号ＩＦのレベルが所定のレベルになるように自動ゲイン制御信号ＡＧＣを生成してチューナ２に与える。ビデオ復調器８は、デジタルＲＦ復調器７からの映像圧縮データを伸張して映像信号を生成する。オーディオ復調器１１は、デジタルＲＦ復調器７からの音声圧縮データを伸張して音声信号を生成する。
【００１５】
ビデオＩＦ復調器９は、ＡＤコンバータ６からのデジタル信号列を映像信号ＣＶＢＳとサウンドＩＦ信号ＳＩＦに分離する。また、ビデオＩＦ復調器９は、チューナ２から出力される中間周波信号ＩＦのレベルが所定のレベルになるように自動ゲイン制御信号ＡＧＣを生成してチューナ２に与える。サウンドＩＦ復調器１２は、サウンドＩＦ信号ＳＩＦを音声信号に復調する。
【００１６】
画像処理エンジン１０は、ビデオ復調器８またはビデオＩＦ復調器９からの映像信号に高画質処理を施して画像表示パネル１５に与える。また、画像処理エンジン１０は、映像信号から垂直同期信号および水平同期信号を抽出して画像表示パネル１５に与える。画像表示パネル１５は、画像処理エンジン１０からの映像信号などに従って画像を表示する。
【００１７】
オーディオＤＳＰ１３は、オーディオ復調器１１またはサウンドＩＦ復調器１２からの音声信号にサラウンド処理などの音声処理を施す。オーディオＤＡコンバータ１４は、オーディオＤＳＰ１３からの音声信号をアナログ音声信号に変換してスピーカ１６に与える。スピーカ１６は、オーディオＤＡコンバータ１４からのアナログ音声信号に従って、音声を出力する。
【００１８】
このテレビ放送受信装置は、以上の通常のテレビ放送受信機能に加え、映像キャリアと音声キャリアのレベルの比であるＰ／Ｓ比を求め、そのＰ／Ｓ比が−１０ｄＢ以下になるようにチューナ２のＳＡＷフィルタ２２の通過帯域を制御する機能を有する。映像キャリアのレベルをＰとし、音声キャリアのレベルをＳとすると、Ｐ／Ｓ比は−２０log１０（Ｐ／Ｓ）[ｄＢ]となる。
【００１９】
図３は、Ｐ／Ｓ比の演算および制御に関連する部分を示すブロック図である。図３において、このテレビ放送受信装置では、半導体装置４内のＣＰＵ５が、受信中のアナログテレビ放送におけるＰ／Ｓ比を求める。すなわち、サラウンド処理などの様々な音声処理を施す必要があるので、オーディオＤＳＰ１３にはメモリが設けられている。Ｐ／Ｓ比を求める際は、音声はミュートされ、オーディオＤＳＰ１３内に空きメモリ空間１３ａが生じる。ビデオＩＦ復調器９は、ＡＤコンバータ６からのデジタル信号列のうちの所定部分をキャプチャーデータとして空きメモリ空間１３ａに格納する。
【００２０】
その際、画像処理エンジン１０で生成される垂直同期開始信号ＶＳを利用し、キャプチャーデータのデータ量を最小限に抑制する。垂直同期開始信号ＶＳは、垂直同期期間の開始時に所定時間だけ活性化レベルの「Ｈ」レベルにされる信号である。垂直同期開始信号ＶＳを遅延回路３０で所定時間だけ遅延させ、遅延回路３０の出力信号とＣＰＵ５からのキャプチャー開始信号ＣＥ０との論理積信号であるキャプチャーイネーブル信号ＣＥをＡＮＤゲート３１で生成する。
【００２１】
ビデオＩＦ復調器９からのデジタル信号列は、ＡＮＤゲート３１で生成されたキャプチャーイネーブル信号ＣＥに応答して空きメモリ空間１３ａに格納される。ＣＰＵ５は、空きメモリ空間１３ａに格納されたデジタル信号列にＦＦＴ（Fast Fourier Transform：高速フーリエ変換）演算を施してＰ／Ｓ比を求め、求めたＰ／Ｓ比を不揮発性メモリ３に書込む。
【００２２】
ＣＰＵ５は、テレビ放送受信装置が設置された場所で受信可能な全アナログ放送チャンネルの各々についてＰ／Ｓ比を求め、各チャンネルのＰ／Ｓ比を不揮発性メモリ３に書込む。Ｐ／Ｓ比の演算は、たとえばオートスキャン（チャンネル自動検出）時に行なわれる。Ｐ／Ｓ比は、チャンネルにより所定値に設定されており、変化しない。
【００２３】
視聴者によってアナログ放送のチャンネルが選択された場合、ＣＰＵ５は、選択されたチャンネルのＰ／Ｓ比を不揮発性メモリ３から読み出し、読み出したＰ／Ｓ比に基づいてチューナ２内のＳＡＷフィルタ２２の通過帯域を制御する。このときＣＰＵ５は、通常の選局動作でも用いるチューナ制御信号線を介してＳＡＷフィルタ２２の通過帯域を制御する。
【００２４】
図４（ａ）〜（ｃ）は、選択されたチャンネルのＰ／Ｓ比が高過ぎる場合におけるＳＡＷフィルタ２２の動作を示す図である。映像キャリアＣｐの周波数は、音声キャリアＣｓの周波数よりも低い。図４（ａ）では、ＳＡＷフィルタ２２の入力信号（ミキサ２１の出力信号）において映像キャリアＣｐのレベルと音声キャリアＣｓのレベルが同程度である場合が示されている。この場合、Ｐ／Ｓ比は−２０log１０１＝０ｄＢである。ＣＰＵ５は、映像キャリアのレベルに比べて音声キャリアのレベルが大き過ぎる（Ｐ／Ｓ比が高過ぎる）と判別し、図４（ｂ）に示すように、ＳＡＷフィルタ２２の通過帯域Ｂのうちの上限周波数を下げる。これにより図４（ｃ）に示すように、映像キャリアＣｐはそのまま通過し、音声キャリアＣｓのレベルは下げられ、Ｐ／Ｓ比は−１０ｄＢ程度に下げられる。
【００２５】
図５（ａ）〜（ｃ）は、選択されたチャンネルのＰ／Ｓ比が十分に低い場合におけるＳＡＷフィルタ２２の動作を示す図である。図５（ａ）では、ＳＡＷフィルタ２２の入力信号（ミキサ２１の出力信号）において映像キャリアＣｐのレベルが音声キャリアＣｓのレベルよりも十分に大きい場合が示されている。ＣＰＵ５は、映像キャリアのレベルに比べて音声キャリアのレベルが十分に小さい（Ｐ／Ｓ比が十分に低い）と判別し、図５（ｂ）に示すように、ＳＡＷフィルタ２２の通過帯域Ｂを調整しない。これにより図５（ｃ）に示すように、映像キャリアＣｐと音声キャリアＣｓはそのまま通過する。
【００２６】
図６は、ビデオＩＦ復調器９で復調された映像信号ＣＶＢＳの要部を示すタイムチャートである。映像信号ＣＶＢＳは、垂直同期信号、水平同期信号、輝度信号、および色信号を合成したものである。映像信号ＣＶＢＳでは、２つのフィールド間に垂直ブランキング期間が設けられており、垂直ブランキング期間内に垂直同期期間が設けられている。垂直同期期間では、映像信号ＣＶＢＳは「Ｌ」レベルに固定されて垂直同期信号となる。ただし、垂直同期信号には、切り込みパルスと呼ばれる水平同期のタイミングを補完するためのパルス信号列が重畳されている。
【００２７】
また図７（ａ）（ｂ）は、中間周波信号ＩＦと映像信号ＣＶＢＳの関係を示すタイムチャートである。図７（ａ）（ｂ）において、一般にアナログ放送では、映像信号ＣＶＢＳのＡＭ(Amplitude Modulation)負変調波が利用されている。映像信号ＣＶＢＳの負変調波では、映像信号ＣＶＢＳの垂直同期信号に対応する部分が映像キャリアＣｐのピーク部分に相当する。
【００２８】
すなわち、中間周波信号ＩＦでは、垂直同期期間において映像信号のレベルが最も高くなり、かつ最高レベルになる期間が長くなる。一方、音声信号はＦＭ（frequency modulation：周波数変調）信号であるので、音声キャリアＣｓのレベルは一定となり、映像キャリアＣｐのレベルがピークレベルを指すことになる。したがって、垂直同期期間において映像キャリアと音声キャリアのレベルを比較することにより、Ｐ／Ｓ比を正確に計算する事が可能となる。
【００２９】
ビデオＩＦ復調器９におけるデジタル信号列（中間周波信号ＩＦ）の復調結果として映像信号ＣＶＢＳが生成されるので、垂直同期開始時刻ｔ０からの遅延時間を調節することで正確な同期位置を指定することが可能となる。図７（ａ）（ｂ）において、遅延時間Ｔ１は、ビデオＩＦ復調器９における復調と、画像処理エンジン１０における同期検出とに必要な遅延時間である。
【００３０】
遅延時間Ｔ２は、垂直同期開始時刻ｔ０から映像信号ＣＶＢＳが安定して「Ｌ」レベルになる時刻ｔ１までの時間である。この遅延時間Ｔ２は、映像信号ＣＶＢＳの映像フォーマットなどによって異なる。映像フォーマットとしては、ＮＴＳＣ（National Television System Committee：全米テレビジョン放送方式標準化委員会）、ＰＡＬ（Phase Alternating Line：位相反転線）などがある。遅延時間Ｔ２を計算する場合は、映像フォーマットを考慮する必要があるが、映像フォーマット毎に遅延時間Ｔ２は固定されているので、受信対象となる映像フォーマットに従って遅延時間Ｔ２を設定する。遅延回路３０の遅延時間は、遅延時間Ｔ２に応じた時間に設定される。
【００３１】
図８は、オートスキャン時におけるテレビ放送受信装置の動作を示すフローチャートである。オートスキャンとは、テレビ放送の全チャンネルを順番に走査し、テレビ放送信号のあったチャンネルの情報を外部の不揮発性メモリ３などに記録する動作である。オートスキャンは、たとえば、テレビ放送受信装置が室内にセットされて電源が投入されたときに実行される。
【００３２】
図８のステップＳ１において、ＣＰＵ５は、不揮発性メモリ３内のチャンネル・マップなどの初期化処理を行なう。ステップＳ２においてＣＰＵ５は、不揮発性メモリ３に格納されている複数のチャンネル情報のうちのいずれかのチャンネル情報を選択し、選択したチャンネル情報を取得する。ステップＳ３においてＣＰＵ５は、取得したチャンネル情報に含まれる周波数情報に基づき、チューナ制御コマンドＣＭＤを生成してチューナ２に送信する。このときのチューナ制御コマンドＣＭＤでは、図４（ａ）〜（ｃ）で示したようなＳＡＷフィルタ２２の通過帯域Ｂの制限は行なわれない。
【００３３】
ステップＳ４においてＣＰＵ５は、選択した周波数情報に対応するチャンネルのテレビ放送が有るか否かを判別する。テレビ放送受信装置は、たとえば、ビデオＩＦ復調器９で生成された映像信号ＣＶＢＳを解析し、正常な垂直同期信号を検出した場合にチャンネルが有ると判別する。
【００３４】
ステップＳ４においてチャンネルが有ると判別した場合はステップＳ５に進み、ステップＳ４においてチャンネルが無いと判別した場合はステップＳ７に進む。ＣＰＵ５は、ステップＳ５においてＰ／Ｓ比を求め、ステップＳ６においてＰ／Ｓ比をチャンネル情報として不揮発性メモリ３に格納する。
【００３５】
ステップＳ７においてＣＰＵ５は、最後のチャンネルか否かを判別し、最後のチャンネルで無い場合はステップＳ８においてチャンネル情報を更新するため、すなわち次のチャンネル情報を選択するためにステップＳ２に戻る。ステップＳ７において、最後のチャンネルであると判別した場合は、オートスキャン動作を終了する。
【００３６】
図９は、Ｐ／Ｓ比の演算方法を示すフローチャートである。Ｐ／Ｓ比の演算は、図８のステップＳ４において垂直同期信号が検出された場合に行なわれる。図９のステップＳ１１において半導体装置４は、垂直同期開始信号ＶＳを所定の遅延時間Ｔ２だけ遅延させてキャプチャーイネーブル信号ＣＥを生成する。この遅延時間Ｔ２は、図７（ａ）（ｂ）で示したように、キャプチャーデータに垂直同期期間内の切り込みパルスが含まれないように設定される。
【００３７】
ステップＳ１２において半導体装置４は、キャプチャーイネーブル信号ＣＥに応答して、ＡＤコンバータ６で生成されたデジタル信号列をオーディオＤＳＰ１３の空きメモリ空間１３ａに格納する。ステップＳ１３においてＣＰＵ５は、空きメモリ空間１３ａに格納されたデジタル信号列にＦＦＴ演算を施し、各周波数毎の強度情報を得る。ステップＳ１４においてＣＰＵ５は、不揮発性メモリ３から受信中のチャンネルにおける映像キャリアおよび音声キャリアの各々の周波数情報を取得する。ステップＳ１５においてＣＰＵ５は、ステップＳ１３，Ｓ１４で得られた情報に基づいて、映像キャリアおよび音声キャリアの各々のキャリアレベルを算出する。ステップＳ１６においてＣＰＵ５は、ステップＳ１５で得られた映像キャリアのレベルと音声キャリアのレベルとに基づいてＰ／Ｓ比を算出し、そのＰ／Ｓ比をチャンネル情報として不揮発性メモリ３に格納する。
【００３８】
図１０は、通常の視聴時における選局動作を示すフローチャートである。図１０に示される本実施の形態の選局動作と従来の選局動作との相違点は、ＳＡＷフィルタ２２の帯域設定の有無である。ステップＳ２１においてＣＰＵ５は、選択されたチャンネルの情報を不揮発性メモリ３から読み出す。ステップＳ２２においてＣＰＵ５は、読み出したチャンネル情報に含まれるＰ／Ｓ比に基づいて、ＳＡＷフィルタ２２の帯域の型を選択する。ステップＳ２３においてＣＰＵ５は、チューナ制御コマンドＣＭＤをチューナ２に送信し、選択されたチャンネルの周波数情報と、選択したＳＡＷフィルタ２２の帯域の型とに応じてＳＡＷフィルタ２２の通過帯域を設定する。
【００３９】
図１１は、Ｐ／Ｓ比とＳＡＷフィルタ２２の帯域の型との関係を示す図である。Ｐ／Ｓ比が０〜−４ｄＢと高い場合は、図１１の上段に示すように、ＳＡＷフィルタ２２の帯域はＡ型に設定され、ＳＡＷフィルタ２２において音声キャリアが大きく減衰される。この場合は、中間周波信号ＩＦにおける映像キャリアと音声キャリアの比を、高周波信号ＲＦにおける映像キャリアと音声キャリアの比よりも大きくすることができる。また、ＳＡＷフィルタ２２を通過した中間周波信号ＩＦにおけるＰ／Ｓ比は−１０ｄＢ以下にされる。
【００４０】
また、Ｐ／Ｓ比が−４〜−１０ｄＢと少し高い場合は、図１１の中段に示すように、ＳＡＷフィルタ２２の帯域はＢ型に設定され、ＳＡＷフィルタ２２において音声キャリアが中位減衰される。この場合は、中間周波信号ＩＦにおける映像キャリアと音声キャリアの比を、高周波信号ＲＦにおける映像キャリアと音声キャリアの比よりも少し大きくすることができる。また、ＳＡＷフィルタ２２を通過した中間周波信号ＩＦにおけるＰ／Ｓ比は−１０ｄＢ以下にされる。
【００４１】
また、Ｐ／Ｓ比が−１０ｄＢ以下と十分に低い場合は、図１１の下段に示すように、ＳＡＷフィルタ２２の帯域はＣ型に設定され、ＳＡＷフィルタ２２において音声キャリアは減衰されない。この場合は、中間周波信号ＩＦにおける映像キャリアと音声キャリアの比は、高周波信号ＲＦにおける映像キャリアと音声キャリアの比と同じになる。これにより、いずれの場合も、ＳＡＷフィルタ２２を通過した中間周波信号ＩＦにおけるＰ／Ｓ比は−１０ｄＢ以下にされる。
【００４２】
この実施の形態では、ＳＡＷフィルタ２２を通過する中間周波信号ＩＦにおけるＰ／Ｓ比が−１０ｄＢ以下になるようにＳＡＷフィルタ２２の通過帯域を設定するので、ＡＤコンバータ６の入力レンジに占める映像キャリアの割合を大きくすることができる。すなわち、従来手法では、Ｐ／Ｓ比が０ｄＢであると想定するので、映像キャリアと音声キャリアと同一レベルで入力された場合、ＡＤコンバータ６の入力レンジにおいて映像キャリアの占める割合は５０％すなわち−６ｄＢＦｓとなる。
【００４３】
一方、本実施の形態では、ＳＡＷフィルタ２２を通過する中間周波信号ＩＦにおけるＰ／Ｓ比を−１０ｄＢ以下に制限するので、ＡＤコンバータ６の入力レンジにおいて映像キャリアの占める割合を７０％すなわち−３ｄＢＦｓに増加させることができる。つまり、本実施の形態では、従来よりもＡＤコンバータ６の入力レンジを３ｄＢ有効に利用することが可能となる。
【００４４】
市販されている複数のテレビ放送受信装置の映像Ｓ／Ｎを比較すると、それらの差は１〜２ｄＢ程度である。したがって本実施の形態では、ＡＤコンバータ６の入力レンジにおける映像キャリアの占める割合を３ｄＢ拡大できたので、映像Ｓ／Ｎの改善に十分に寄与することができる。なお、音声放送はＦＭ放送であり、音声キャリアのレベルが十分に大きい場合のみ音声キャリアのレベルが抑圧されるので、音声Ｓ／Ｎの劣化は最小に抑えられる。
【００４５】
また、図１２は、本願の他の実施の形態によるテレビ放送受信装置の要部を示すブロック図であって、図２と対比される図である。図１２において、このテレビ放送受信装置は、チューナ３５を備える。チューナ３５は、図２で示したミキサ２１、ＳＡＷフィルタ２２、増幅器２３、コントローラ２４、およびレジスタ２５に加え、Ｐ／Ｓ比演算部３６を備える。Ｐ／Ｓ比演算部３６は、増幅器２３から出力される中間周波信号ＩＦにおけるＰ／Ｓ比を求め、そのＰ／Ｓ比を示すデジタル信号をレジスタ２５に与える。レジスタ２５は、選択されたチャンネルの情報を示すチューナ制御コマンドＣＭＤを保持する。
【００４６】
コントローラ２４は、レジスタ２５に保持されたＰ／Ｓ比を示すデジタル信号とチューナ制御コマンドＣＭＤに従って、ミキサ２１およびＳＡＷフィルタ２２を制御する。このとき、コントローラ２４は、中間周波信号ＩＦにおけるＰ／Ｓ比が−１０ｄＢ以下になるようにＳＡＷフィルタ２２の通過帯域を制御する。この実施の形態では、チューナ３５内でＰ／Ｓ比の演算および制御が行なわれるので、後段の半導体装置４にＰ／Ｓ比の演算および制御の機能を持たせる必要がない。
【００４７】
なお、この実施の形態では、増幅器２３から出力される中間周波信号ＩＦにおけるＰ／Ｓ比を演算したが、ＳＡＷフィルタ２２から出力される中間周波信号ＩＦにおけるＰ／Ｓ比を演算してもよい。また、ミキサ回路２１から出力される中間周波信号ＩＦにおけるＰ／Ｓ比を演算してもよい。また、ミキサ回路２１に入力される高周波信号ＲＦにおけるＰ／Ｓ比を演算してもよい。また、Ｐ／Ｓ比を演算せずに各チャンネルのＰ／Ｓ比を記憶部に予め記憶しておき、記憶したＰ／Ｓ比に基づいてＳＡＷフィルタ２２の通過帯域を制御してもよい。
【００４８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００４９】
１  アンテナ、２  チューナ、３  不揮発性メモリ、４  半導体装置、５  ＣＰＵ、６  ＡＤコンバータ、７  デジタルＲＦ復調器、８  ビデオ復調器、９  ビデオＩＦ復調器、１０  画像処理エンジン、１１  オーディオ復調器、１２  サウンドＩＦ復調器、１３  オーディオＤＳＰ、１４  オーディオＤＡコンバータ、１５  画像表示パネル、１６  スピーカ、２１  ミキサ、２２  ＳＡＷフィルタ、２３  増幅器、２４  コントローラ、２５  レジスタ、３０  遅延回路、３１  ＡＮＤゲート。
【図１】
2013192167.tif 000003
【図２】
2013192167.tif 000004
【図３】
2013192167.tif 000005
【図４】
2013192167.tif 000006
【図５】
2013192167.tif 000007
【図６】
2013192167.tif 000008
【図７】
2013192167.tif 000009
【図８】
2013192167.tif 000010
【図９】
2013192167.tif 000011
【図１０】
2013192167.tif 000012
【図１１】
2013192167.tif 000013
【図１２】
2013192167.tif 000014